(57)【特許請求の範囲】
【請求項１】
略矩形型の架台と、前記架台の上面外縁に配置された略矩形型の外周縁部材と、前記外周縁部材の内側に収納された基材層、クッション層、表面層を順次配置した構成の浴室用洗い場床パンであって、
前記外周縁部材の外縁部上面に壁パネル載置用凹部が設けられ、前記外周縁部材上面の前記凹部の内側には前記表面層を載置する表面層載置面が設けられ、前記表面層載置面より内側で且つ前記外周縁部材上面より下方に前記外周縁部材の内側面より内側に突出させた挟み片が設けられ、前記挟み片を前記架台と前記基材層とで挟持させて前記架台上に設置されるとともに、
前記基材層の周縁から外方に前記表面層が突出され、前記表面層の外周縁の突出部が前記外周縁部材の前記壁パネル載置用凹部の内側に配置されたことを特徴とする浴室用洗い場床パン。
【請求項２】
前記外周縁部材がストレート部材とコーナー部材に分割されたことを特徴とする請求項１に記載の浴室用洗い場床パン。
【請求項３】
前記洗い場床パンの基材層と前記挟み片との間に止水部材が挟持されたことを特徴とする請求項１または請求項２に記載の浴室用洗い場床パン。
【発明の詳細な説明】
【技術分野】
【０００１】
本発明は、浴室ユニットの架台より順に構成部材を積段することで構成されている浴室用洗い場床パンに関する。
【背景技術】
【０００２】
従来、浴室ユニットの洗い場床パンの設置方法において、無機材質からなる底板に壁載せ部及び発泡プラスチック板を載置し、更に保護層なる表面層を設けて構成されている浴室用洗い場床パンが知られている。（特許文献１）
【０００３】
また、別な浴室用洗い場床パンの設置方法において、基材層の凹部にクッション材を収納し、その上面をクッション層及び表面材を設けて構成されている浴室用洗い場床パンが知られている。（特許文献２）
【先行技術文献】
【特許文献】
【０００４】
【特許文献１】特開平１１−３４３６５０号公報
【特許文献２】特開２００９−１３８４３６号公報
【発明の概要】
【発明が解決しようとする課題】
【０００５】
特許文献１に記載の従来技術では、図２に記載の通り壁載せ部の上面に保護層を設けており、保護層及び発泡プラスチック板の交換が必要な場合には、壁パネルを取り外す必要があり、施工が大がかりとなり、手間がかかる等の問題点があった。
【０００６】
そこで特許文献２に記載の構造では、図１に記載の通り表面層及びクッション層が壁パネルの載置部より浴室側に配置されており、壁パネルをそのまま状態で表面層及びクッション層の交換が可能とする構造であるが、基材層の交換ではやはり壁パネルを取り外す必要がある等の問題点があった。
【０００７】
浴室用洗い場床パンの構成部材の交換が必要とされる条件としては、長期使用による劣化（へたり・色落ち・剥がれ等）あるいは、止水部分や表面層の破損等による水漏れによる膨れ、カビ・悪臭の発生防止などが挙げられる。
【０００８】
本発明は、上記従来の問題点に鑑みなされたものであって、浴室用洗い場床パンの基材層の不具合に対して、壁パネルを取り外すことなく洗い場床パンの構成部材の交換を容易に行う事ができる浴室用洗い場床パンを提供することにある。
【課題を解決するための手段】
【０００９】
本発明は、上記課題を解決する手段として、以下の構成を有する。
（１）本発明の浴室用洗い場床パンは、略矩形型の架台と、前記架台の上面外縁に配置された略矩形型の外周縁部材と、前記外周縁部材の内側に収納された基材層、クッション層、表面層を順次配置した構成の浴室用洗い場床パンであって、前記外周縁部材の外縁部上面に壁パネル載置用凹部が設けられ、前記外周縁部材上面の前記凹部の内側には前記表面層を載置する表面層載置面が設けられ、前記表面層載置面より内側で且つ前記外周縁部材上面より下方に前記外周縁部材の内側面より内側に突出させた挟み片が設けられ、前記挟み片を前記架台と前記基材層とで挟持させて前記架台上に設置されるとともに、前記基材層の周縁から外方に前記表面層が突出され、前記表面層の外周縁の突出部が前記外周縁部材の前記壁パネル載置用凹部の内側に配置されたことを特徴とする。
【００１０】
（２）本発明において、前記外周縁部材がストレート部材とコーナー部材に分割された構成を採用できる。
（３）本発明において、前記洗い場床パンの基材層と前記挟み片との間に止水部材が挟持された構成にすることができる。
【発明の効果】
【００１１】
本発明によれば、壁パネルを取り外すことなく、洗い場床パンの構成部材である基材層、クッション層、表面層の施工及び交換を行うことができ、施工性の向上と施工時間の短縮を図ることができる。
さらに、洗い場床パンを設置する前に、壁パネルの建込みや天井部材の取り付けを行うことができる為、壁パネルの建込みや天井部材の取り付けを行う際に床面を傷付けることが無く、洗い場床パンを破損するなどの施工ミスを減少させることができる。
【図面の簡単な説明】
【００１２】
【図１】本発明の実施形態における、浴室用洗い場床の斜視図である。
【図２】図１に示す浴室用洗い場床の分解斜視図である。
【図３】本発明の実施形態に係る浴室用洗い場床における外周縁部材の分解図である。
【図４】本発明の実施形態に係る浴室用洗い場床の分解断面図である。
【図５】本発明の実施形態に係る浴室用洗い場床の断面組図である。
【図６】本発明の実施形態に係る浴室用洗い場床において洗い場床パンを取外した状態の斜視図である。
【発明を実施するための形態】
【００１３】
以下、本発明の実施形態を挙げて本発明の詳細を説明する。
図１は本発明の実施形態における、浴室用洗い場床の斜視図である。浴室用洗い場床１０はその下側から順に架台３と、外周縁部材２と、洗い場床パン１とを備えている。
【００１４】
図２は図１に示す浴室用洗い場床の分解図である。架台３は浴室設置空間の設置面に設置され、洗い場床パン１及び洗い場床パン１にかかる荷重と外周縁部材２及び外周縁部材２にかかる荷重とを受けその位置を保持する。架台３は設置時に建築躯体に合わせて高さ調整されるとともに、床パン設置面となる上方平面が水平になるよう調整される。
架台３は平面視略矩形の枠状に形成されている。架台３は、矩形枠状の本体部３Ａとこの本体部３Ａのコーナー部下方に立設された複数本（図２の実施形態の場合、４本）の脚部３Ｂと本体部３Ａの内側に組まれた補強桁３Ｄと複数の補強桟３Ｅを備えて構成されている。
【００１５】
外周縁部材２は壁パネルや天井パネルなどの荷重を受けても変形や破損しない強度を有し、例えば、ＦＲＰ等の熱硬化性樹脂、あるいはポリスチレンやポリプロピレンなどの熱可塑性樹脂からなる。
【００１６】
図３は本発明の実施形態に係る、外周縁部材２の分解斜視図である。外周縁部材２は中央開口部２ｄを有する略矩枠形となっており、架台３の外周に沿って架台３の上に取り付けられ固定されている。外周縁部材２は一体で成形することもできるが、図３に示すようにコーナー部材２２を別体として設け、短辺側のストレート部材２１及び長辺側のストレート部材２３と接続することで枠状に組み上げることもできる。これにより外周縁部材２をコンパクトにすることができ、例えばストレート部材２１及びストレート部材２３の長さ、種類を複数用意すれば、成形用金型にかかる費用を抑制しながら各サイズの洗い場に対応することができる。例えば、外周縁部材２を一体成形とするならば、それに対応した大型の金型を必要とするが、ストレート部材２１、２３とコーナー部材２２の別体構造とするならば、これらを成形可能な金型を用意すれば良く、金型の小型化、金型費用の削減に寄与する。
【００１７】
洗い場床面は冬場の気温約−１０℃の状態から実使用において約４０℃の温水がかかることがある。つまり洗い場床面は温度変化による膨張収縮を繰り返す環境に設置される。温度変化による膨張収縮により各部材の寸法が変化すると、部品間の擦れや弾きによって、音鳴りが発生し利用者に不快感を与えることになることから、例えばポリスチレンやポリプロピレンなど線膨張収縮率の高い熱可塑性樹脂を用いる場合には対策が必要となる。
【００１８】
コーナー部材２２とストレート部材２１及びストレート部材２３の接続部２４にそれぞれが重なり合うラップ代を設けることでストレート部材２１、２３の線膨張収縮による寸法変化を吸収することができ、コーナー部材２２を含む外周縁部材２の全長寸法は変化しない。これにより音鳴りの発生を防止することができる。
【００１９】
ラップ代を設けるとは以下のことを意味する。
ストレート部材２１の長さ方向端部上縁側からコーナー部材２２側に図３に示すように突部２１ａが形成され、コーナー部材２２の端部下縁側に前記突部２１ａを受ける段部２２ａが形成されている。
突部２１ａを段部２２ａに載せてストレート部材２１とコーナー部材２２を突き合わせた場合、突部２１ａ下方の角部２１ｂと段部２２ａ下方の突縁２２ｂとの間に若干の隙間ｄ１が形成されている。
【００２０】
また、ストレート部材２３の長さ方向端部上縁側からコーナー部材２２側に図３に示すように突部２３ａが形成され、コーナー部材２２の端部下縁側に前記突部２３ａを受ける段部２２ａが形成されている。
突部２３ａを段部２２ａに載せてストレート部材２３とコーナー部材２２を突き合わせた場合、突部２３ａ下方の角部２３ｂと段部２２ａ下方の突部２２ｂとの間に若干の隙間ｄ１が形成されている。
【００２１】
ストレート部材２１、２３はコーナー部材２２に比べて長いので、浴室特有の−１０℃に４０℃の温水がかかるなどの温度差が作用すると、熱膨張し、コーナー部材２２、２２で拘束されてそれらの間で撓む、変形するなどの問題を発生しやすくなる。この点、ストレート部材２１、２３とコーナー部材２４の間に隙間ｄ１を有するので、この隙間ｄ１がストレート部材２１、２３の熱膨張分を吸収する緩衝間隙となる。
【００２２】
図示はしないが外周縁部材２の固定方法は特に制限するものではない。しかし、外周縁部材２にねじれや反りが発生すると、壁パネル載置用凹部２ｃが歪んでしまうことから、壁パネル７（図５参照）と外周縁部材２との止水部のクリアランスにバラつきが発生し、止水性や外観の仕上がりなどに悪影響を生じる。よって、外周縁部材２の裏面と架台３の平面に浮きが発生しないよう適度な間隔で固定部を設けるのが望ましく、具体的には適度な間隔でビス固定やプッシュリベットなどによって外周縁部２が固定される。
【００２３】
図４は本発明の実施形態に係る、浴室用洗い場床の分解断面図である。外周縁部材２の上面内周側には表面層載置面２ａが設けられており、表面層載置面２ａの外周上面には壁パネル載置用凹部２ｃが設けられている。
また、表面層載置面２ａの内周縁下方内側面２ａｄから外周縁部材２の内側に向いて挟み片２ｂが突設されており、挟み片２ｂの上面には止水部材２ｂｃを取り付けるための溝型の凹部２ｂｄが設けられている。
【００２４】
洗い場床パン１は、板状の基材層１ｃとその上に積層されたクッション層１ｂと表面層１ａを備えている。基材層１ａの平面サイズは外周縁部材２によって作られた中央開口部２ｄの内側に納まるサイズで且つ外周縁部材２の挟み片２ｂを架台３と挟持できるサイズになっており、クッション層１ｂの平面サイズは基材層１ｃの平面サイズと略同一サイズで、表面層１ａの平面サイズはクッション層１ｂの平面サイズより大きく、全周にて略均等に表面層１ａを外側に突出させた突出部１ａｂが設けられている。
【００２５】
表面層１ａには耐水性、耐摩耗性を有する素材でさらに、表面層１ａの突出部１ａｂを上方にめくり上げられる程度に可撓性を有していることが望ましく、例えば塩化ビニルシートを用いることができる。
【００２６】
クッション材１ｂには変形に対する復元性が良く、圧縮残留歪みの小さい素材が望ましく、半連続発泡のウレタンフォームや、ＥＶＡフォームなどを用いることができる。
表面層１ａとクッション層１ｂの積層は例えば両面テープや接着剤を用いて貼り付け、さらにクッション層１ｂと表面層１ｃは例えば両面テープや接着剤を用いて貼り付けても良い。
洗い場床パン１の基材層１ｃにおいて外周縁部下面側に図４に示すように凹部１ｄが形成され、基材層１ｃにおいて最外周縁下面部に凹部１ｄの深さの数分の一程度の突縁部１ｅが形成されている。なお、基材層１ｃは単板からなる。
【００２７】
図５は本発明の実施形態に係る浴室洗い場床１０と壁パネル７との接合部分を含む断面組図である。表面層１ａの外周の突出部１ａｂは外周縁部材２の表面層載置面２ａ上に配置され、表面層１ａは床面全面を覆っている。すなわち、表面層１ａと外周縁部材２とを洗い場面全周において接着材によって接着することで、水の進入や表面層１ａの端部での浮きや剥がれといった不具合を防ぐことができる。このとき接着剤としては耐水性のある接着材が好適で変性シリコン系接着材や両面テープなどを用いてもよい。表面層載置面２ａの接着剤塗布位置は、段差となるように外周縁部材２の上面に浅い溝２ａｂを設けることで、接着剤を適量塗布することができ、また両面テープを貼る場合においても貼付け位置を明確にすることができる。
図５に示すように壁パネル７は外周縁部材２に設けられた壁パネル載置用凹部２ｃに壁下止水部材６ｂと共に設置される。
【００２８】
図５に示すように洗い場床パン１は架台３の上に設置されることで、外周縁部材２の中央開口部２ｄを塞ぐように取り付けられる。つまり、挟み片２ｂを基材層１ｃと架台３によって挟みこみ止水部材２ｂｃを若干押圧することで外周縁部材２の中央開口部２ｄへの漏水を防止できる。このとき止水部材２ｂｃの材質は特に制限するものではないが、反発力が高すぎると基材層１ｃを反発で浮かせてしまい床面全体がふわふわとした心地の悪いものになり使用感に不都合がある。よって、止水部材２ｂｃの反発力は基材層１ｃを浮かせない程度のものを選択することが肝要であり、具体的には連続発泡のウレタンフォームや半独立発泡のＥＰＤＭ（エチレンプロピレンジエンゴム）などが好適である。
【００２９】
図５に示すように基材層１ｃの下面外周縁の突縁部１ｅを挟み片２ｂの凹部上面に当接させ、挟み片２ｂの内周側の突縁部２ｅを凹部１ｄの底面に当接させることで洗い場床パン１が設置されている。この構造により、基材層１ｃと挟み片２ｂで止水部材２ｂｃを挟み付けることができ、基材層１ｃを浮かせることなく洗い場床パン１を安定支持できる。
また、壁パネル７と外周縁部材２の上面と表面層１ａの外周縁との間の隙間ｄ２の部分にシリコンコーキング（充填材）６ａを併用することで止水性を更に向上させることができる。
さらに、基材層１ｃの突縁部１ｅを挟み片２ｂの上に設置した状態において基材層１ｃの外周面と外周縁部材２の内周面との間に間隙ｄ３が形成され、同状態において凹部１ｄの内面との間に間隙ｄ４が形成されている。これらの間隙ｄ３、ｄ４は基材層１ｃが熱膨張した場合に外周縁部材２との接触を防止する緩衝用の間隙として設けられている。これらの間隙ｄ３、ｄ４を設けることで、基材層１ｃの熱膨張分を吸収することができ、基材層１ｃの熱膨張に伴う外周縁部材２の変形を防止できる。
外周縁部材２が変形し、壁パネル載置用凹部２ｃが歪んでしまうと、壁パネル７（図５参照）と外周縁部材２との止水部のクリアランスにバラつきが発生し、止水性や外観の仕上がりなどに悪影響を生じる。間隙ｄ３、ｄ４はこれらの悪影響を防止する。
【００３０】
図６は本発明の実施形態に係る、洗い場床パン１の取外し状態を示す斜視図である。
洗い場床パンに直接壁パネルを載置していた従来の方法では、壁パネルを建て込む際の取り回し時に床面や天井などに壁パネルを接触させてしまい破損する恐れがあり、床面や天井面に養生を施した上で建て込みの作業を行っている。
これに対し本発明の実施形態では、壁パネル７は外周縁部材２の壁パネル載置用凹部２ｃに載置されることから洗い場床パン１の設置前に壁パネル７を建て込むことができる。
このため、洗い場床パン１の床面を傷付けることがなくなることから、養生を簡素化でき、また高さ方向で壁パネル７を架台３側に逃がすことで、壁パネル７を天井に接触させる問題も軽減することができる。
【００３１】
表面材１ａは外周縁部材２の表面層載置面上２ａにあり、表面材１ａの外周端部は壁パネル７の浴室側平面との間に隙間ｄ２が形成され、その隙間ｄ２にはシリコンコーキング６が設けられており、外観の仕上がりも良好に止水処理を行うことができる。
【００３２】
さらに前述した通り、基材層１ｃと外周縁部材２との止水構造、表面層１ａと外周縁部材２との接着構造、表面層１ａと壁パネル７との止水構造の三重止水により確実な止水性能を確保することで洗い場床パン１からの漏水を防止することができ、壁パネル７を取り外すことなく洗い場床パン１の交換を容易に行う事ができる。
【符号の説明】
【００３３】
１…洗い場床パン、１ａ…表面層、１ａｂ…表面層突出部、１ｂ…クッション層、１ｃ…基材層、２…外周縁部材、２ａ…表面層載置面、２ａｂ…溝、２ｂ…挟み片、２ｂｃ…止水部材、２ｃ…壁パネル載置用凹部、２ｄ…中央開口部、３…架台、１０…浴室用洗い場床、２１…短辺側のストレート部材、２２…コーナー部材、２３…長辺側のストレート部材、２４…接続部、６ａ…シリコンコーキング（充填材）、６ｂ…壁下止水部材。
【要約】      （修正有）【課題】床材構成部材の交換を容易に行う事ができる浴室用洗い場床パンを提供する。【解決手段】略矩形型をした架台３と、架台の上面外縁に配置される外周縁部材２と、壁載せ部材の内側に収納される基材層１ｃ、クッション層１ｂ、表面層１ａを順次配置した構成で、形成される浴室用洗い場床パン１において、外周縁部材の外縁部には壁パネル載置用凹部が設けられ、凹部の内側には表面層を載置する表面層載置面２ａが設けられ、表面層載置面より内側で且つ下方側面より突出しさせた挟み片２ｂを設け、挟み片を架台と基材層で挟持する。【選択図】図５【図１】
0005887454.tif 000002
【図２】
0005887454.tif 000003
【図３】
0005887454.tif 000004
【図４】
0005887454.tif 000005
【図５】
0005887454.tif 000006
【図６】
0005887454.tif 000007